(57)【要約】【課題】ブラケット構造が簡単で、取り付けが容易であり、組み付け間違いがなく、左右ブラケット間の寸法に遊びがあり、一対の支柱間寸法に余裕があるブラケット、商品陳列棚装置及びブラケットの取り付け方法を提供すること。【解決手段】支柱に着脱自在に取着され、商品陳列用棚部を支持するブラケット１０であって、商品陳列用棚部４に付設された係止突起５に係止する、前後方向に延び厚さ方向に貫通するスリット孔２を形成した。【選択図】図４
2020092778.tif 000002
【特許請求の範囲】
【請求項１】
支柱に着脱自在に取着され、商品陳列用棚部を支持するブラケットであって、該商品陳列用棚部に付設された係止突起に係止する、前後方向に延び厚さ方向に貫通するスリット孔を形成したことを特徴とするブラケット。
【請求項２】
該ブラケットは、板状体であり、該スリット孔は、上部に形成されることを特徴とする請求項１記載のブラケット。
【請求項３】
該スリット孔は、前後方向に複数個、形成されることを特徴とする請求項１又は２記載のブラケット。
【請求項４】
該支柱の係止孔に係止するフック状の係止部が、後端に形成されていることを特徴とする請求項１〜３のいずれか１項に記載のブラケット。
【請求項５】
左右一対の支柱と、
該支柱に着脱自在に取着され、前後方向に延び厚さ方向に貫通するスリット孔を有する、商品陳列用棚部を支持するブラケットと、
該ブラケット間に差し渡しで設置される商品陳列用棚部と、
該商品陳列用棚部の両側端部から外側、横方向に延び更に上方に屈曲する横Ｌ字断面形状の係止突起と、有し、
該商品陳列用棚部は、該係止突起が、ブラケットのスリット孔に係止することで、支持されることを特徴とする請求項５記載の商品陳列棚装置。
【請求項６】
請求項５記載の商品陳列棚装置におけるブラケットの取り付け方法であって、ブラケットを横に寝かせた状態でスリット孔に該係止突起を通し、次いで、該ブラケットを回動させ、吊り下げ状とし、次いで、吊り下げ状のブラケットを、該支柱に取り付けることを特徴とするブラケットの取り付け方法。
【発明の詳細な説明】
【技術分野】
【０００１】
本発明は、商品陳列用棚部への取り付け、取り外しが簡単で、取り違いを生じないブラケット、商品陳列棚装置及びブラケットの取り付け方法に関する。
【背景技術】
【０００２】
スーパ、コンビニ、量販店等の売場においては、商品を多段の陳列棚に陳列して販売している。このような商品陳列什器としては、左右一対の支柱に、商品陳列棚のような商品陳列用棚部を上下多段に取り付けた商品陳列装置が知られている。商品陳列用棚部を支柱に取り付ける際、ブラケットを使用する。このようなブラケットとしては、多数のものが知られている。
【０００３】
特開２０１８−１２１８４０号公報には、壁面に取り付けられる棚であって、壁面に固定される２つ以上のブラケットと、前記ブラケットに着脱可能に取り付けられる棚板とを有し、前記ブラケットには、角度の異なる複数のレールが設けられていて、前記棚板には、前記ブラケットの前記レールに嵌合する脚部が設けられている棚が開示されている。この発明によれば、壁面に対する棚板の角度を容易に切り替えることができ、利便性を向上できると共に、簡潔な外観で美観を向上させた棚を提供することができる。
【０００４】
特開２０１８−３３８４９号公報には、立設される複数の支柱と、前記各支柱に着脱自在に取り付けられる棚板受ブラケットと、該棚板受ブラケット上に載置される矩形状の棚板とから構成される陳列棚において、前記棚板の表面または裏面の少なくとも一方に、該棚板の１辺に沿って照明器具を収容可能な収容溝が形成されると共に、該収容溝の端部に、前記照明器具が備えるケーブルの余長部を収納する収納部が形成されている陳列棚が開示されている。この発明によれば、棚板に設けられる照明器具のケーブル余長部が外部への露出する状態を抑えることのできる。特開２０１８−３３８４９号公報では、各支柱の係止孔に、棚板受ブラケットを取り付け、次いで、棚板受ブラケット上に、矩形状の棚板を載置する。
【０００５】
従来のブラケットとしては、上記公報に記載されるような単独のブラケットで、支柱や棚板に取り付ける分離型ブラケット、及び棚部の左右側端に予め一体的に付設される固定型ブラケットが知られている。
【先行技術文献】
【特許文献】
【０００６】
【特許文献１】特開２０１８−１２１８４０号公報（請求項１）
【特許文献２】特開２０１８−３３８４９号公報（請求項１）
【発明の開示】
【発明が解決しようとする課題】
【０００７】
しかしながら、固定型ブラケットは、分離型ブラケット（単独ブラケット）に比して、全体が嵩張るため、組立前の取り扱いが不便であり、保管管理に場所を採る。一方、単独ブラケットは、組立前の取り扱いが便利であり、保管管理に場所を採らないものの、特開２０１８−１２１８４０号公報のように、角度の異なる複数のレールを形成するなど、ブラケット構造が複雑なものが多く、組付け方法も複雑である。一方、特開２０１８−３３８４９号公報では、先割れ形状の係止具を使用し、一端をブラケット側の係止孔に、他端を棚板側のダボ孔にそれぞれ嵌め込むことで、ブラケットと棚板とを接続しており、左右の寸法誤差は許されず、取り付けが難しい。また、その他、従来の単独ブラケットは、単純構造のものは、寸法違いの棚板を付けてしまうなど取り違いという問題がある。
【０００８】
従って、本発明の目的は、ブラケット構造が簡単で、取り付けが容易であり、組み付け間違いがなく、左右ブラケット間の寸法に遊びがあり、一対の支柱間寸法に余裕があるブラケット、商品陳列棚装置及びブラケットの取り付け方法を提供することにある。
【課題を解決するための手段】
【０００９】
すなわち、本発明は、上記課題を解決するものであり、支柱に着脱自在に取着され、商品陳列用棚部を支持するブラケットであって、該商品陳列用棚部に付設された係止突起に係止する、前後方向に延び厚さ方向に貫通するスリット孔を形成したことを特徴とするブラケットを提供するものである。
【００１０】
また、本発明は、該ブラケットは、板状体であり、該スリット孔は、上部に形成されることを特徴とする前記ブラケットを提供するものである。
【００１１】
また、本発明は、該スリット孔は、前後方向に複数個、形成されることを特徴とする前記ブラケットを提供するものである。
【００１２】
また、本発明は、該支柱の係止孔に係止するフック状の係止部が、後端に形成されていることを特徴とする前記ブラケットを提供するものである。
【００１３】
また、本発明は、左右一対の支柱と、該支柱に着脱自在に取着され、前後方向に延び厚さ方向に貫通するスリット孔を有する、商品陳列用棚部を支持するブラケットと、該ブラケット間に差し渡しで設置される商品陳列用棚部と、該商品陳列用棚部の両側端部から外側、横方向に延び更に上方に屈曲する横Ｌ字断面形状の係止突起と、有し、該商品陳列用棚部は、該係止突起が、ブラケットのスリット孔に係止することで、支持されることを特徴とする前記商品陳列棚装置を提供するものである。
【００１４】
前記商品陳列棚装置におけるブラケットの取り付け方法であって、ブラケットを横に寝かせた状態でスリット孔に該係止突起を通し、次いで、該ブラケットを回動させ、吊り下げ状とし、次いで、吊り下げ状のブラケットを、該支柱に取り付けることを特徴とするブラケットの取り付け方法。
【発明の効果】
【００１５】
本発明によれば、横Ｌ字形状の係止突起に、ブラケットのスリット孔を係止するのみであり、構造が簡単で、取り付けが容易であり、組み付け間違いがない。また、係止突起の横Ｌ字を構成する横板部に長さがあるため、左右ブラケット間の寸法に遊びができ、一対の支柱間寸法に余裕を採れる。
【図面の簡単な説明】
【００１６】
【図１】本発明の実施の形態におけるブラケットの斜視図である。
【図２】図１のブラケットを商品陳列用棚部に取り付ける方法を示す図である。
【図３】図１のブラケットを商品陳列用棚部に取り付ける方法を示す図であり、図２に続く工程である。
【図４】図１のブラケットを商品陳列用棚部に取り付ける方法を示す図であり、図３に続く工程である。
【図５】図１のブラケットを商品陳列用棚部に取り付ける方法を示す断面図である。
【図６】図５に続く工程であり、図３の断面図である。
【図７】図６に続く工程を示す断面図である。
【図８】図７に続く工程であり、図４の断面図である。
【図９】図１のブラケットを取着した商品陳列棚装置である。
【図１０】図９の商品陳列棚装置の使用方法を説明する図である。
【図１１】図９の商品陳列棚装置の分解斜視図である。
【発明を実施するための形態】
【００１７】
次に、本発明の実施の形態におけるブラケットを図１を参照して説明する。本明細書中、「前後」、「横」、「縦」は、使用状態における顧客側を正面としたものである。ブラケット１０は、支柱６に着脱自在に取着され、商品陳列用棚部（以下、単に「棚部」とも言う。）４を支持するものであって、前後方向に延び厚さ方向に貫通するスリット孔２を有する。
【００１８】
ブラケット１０は、側面視が先細りで所定の厚みを有する板状の本体部１を有し、本体部１の後方端には、支柱６の係止孔６１に係止するフック状の係止部３が形成されている。本例では、上下方向に４つのフック係止片が形成されている。すなわち、本体部１は、後方端の係止部３を除く部分を言う。本体部１は、本例では厚みが均一の板状体である。本体部１の上端は直線状の上面を形成している。また、フック状の係止部３は、支柱６の係止孔６１に係止する形状であり、本体部１の厚みと同じ又は異なっていてもよい。  
【００１９】
スリット孔２は、本体部１の上部に形成されている。スリット孔２が本体部１の上端近くでは、保持強度が得られず、余り下部過ぎると、係止突起の横板部の長さを大きくする必要があり、取着されたブラケットにガタが生じ易くなるため好ましくない。このため、スリット孔２は、上端より１０ｍｍ程度下方が好ましい。
【００２０】
スリット孔２は、本例では、前後方向に３個、それぞれ離れて形成されている。３個のスリット孔２ａ〜２ｃは、前後方向に延びる仮想の直線上にある。また、スリット孔２の孔高さは、棚部に付設される係止突起５に遊びを持って嵌る孔形状とすることが、嵌め易い点で好ましい。また、スリット孔２の位置でブラケット１０は棚部を支持するため、スリット孔２は、前後方向に均等に配置することが好ましい。
【００２１】
次に、本発明の実施の形態におけるブラケットの取り付け方法を図２〜図８を参照して説明する。図２〜図８において、図１と同一構成要素には、同一符号を付して、その説明を省略し、異なる点について、主に説明する。本例のブラケットの取り付け方法は、左右一対の支柱６（図９参照）と、左右のブラケット１０、１０と、棚部４の両側端部の外側から横方向に延び更に上方に屈曲する横Ｌ字形状の係止突起５と、を有し、係止突起５にブラケット１０のスリット孔２を係止させ、その後、支柱６に取り付けるものである。
【００２２】
棚部４の両側端部は、起立側板４１を有しており、係止突起５は、起立側板４１に形成されている。すなわち、起立側板４１から外側、横方向に延びる横板部５１と、横板部５１の先端から上方に延びる縦板部５２とからなる横Ｌ字断面形状（クランク形状）である。横板部５１の水平方向長さｌ１は、ブラケット１０の厚み（ｔ）より、２〜５倍大とすることが、ブラケット１０の左右方向の設置位置が広がり、左右の支柱間寸法を厳密にする必要がなくなり、都合がよい。また、横板部５１の水平方向長さｌ１が長過ぎると、却って組付け後の固定が安定せず、ガタが生じやすくなる。縦板部５２の高さｌ２は、スリット孔２の孔高さ（上下方向高さ）より、２〜５倍大とすることが、ブラケット１０を組付け易く、また組付け後、ブラケット１０が外れ難い点で好ましい（図８参照）。スリット孔２の孔高さは、係止突起５のコーナー部を通る寸法であればよい（図７参照）。スリット孔２の孔高さが大き過ぎると、嵌め易くなるものの、ガタ付が生じ易い。このため、スリット孔２の孔高さは、係止突起５のコーナー部を通る寸法で、最小のものが好ましい。
【００２３】
また、起立側板４１の、側面視で横板部５１の下方位置、且つ平面視で横板部５１の両端位置には、起立側板４１から外側に突出する小突起４９が付設されている。小突起４９の高さは、横板部５１の横長さより小であり、好ましくは数ｍｍ以上、半分以下とすることが、ブラケット１０を支柱に設置した後、ブラケット１０が起立側板４１に当たることがなく、組付け体の強度が高まる点で好ましい。すなわち、ブラケット１０は、係止突起５に取り付けた後は、小突起４９に当接する位置に調整することが好ましい。
【００２４】
ブラケット１０の係止突起５への取り付けは、先ず、ブラケット１０を横に寝かせた状態で、係止突起５の縦板部５２に、ブラケット１０のスリット孔２を嵌め込む（図５、６）。次いで、ブラケット１０を回動させて、係止突起５の横板部５１に吊り下げ状で支持させる（図７、８）。次いで、起立側板４１に取着されたブラケット１０を支柱６に取り付ける。このようなブラケット１０の取り付け方法によれば、別途の係止具等の部品は必要なく、また、途中で手が滑っても、ブラケット１０は脱落することがなく、取り付けが極めて容易となる。また、ブラケット１０のスリット孔２と係止突起５は、対応関係にあり、他の棚部あるいは他のブラケットとの取り違いは生じない。また、ブラケット１０は、板状体であり、保管に場所を採ることがない。
【００２５】
次に、ブラケット１０を有する商品陳列棚装置の一例を図９〜図１１を参照して説明する。図９〜図１１において、図１〜図８と同一構成要素には同一符号を付して、その説明を省略し、異なる点について主に説明する。商品陳列棚装置２０は、左右一対の支柱６、６と、ブラケット１０、１０と、商品陳列用棚部４とを備える。ブラケット１０は、支柱６、６に着脱自在に取着され、スリット孔２が、商品陳列用棚部４の係止突起５に係止し、商品陳列用棚部４を支持する。すなわち、ブラケット１０の後方端の係止部３は、支柱６の係止孔６１に着脱自在に取着されており、また、商品陳列用棚部４のスリット孔２は、商品陳列用棚部４の係止突起５に嵌り、商品陳列用棚部４を支持している。商品陳列用棚部４は、ブラケット１０、１０間に差し渡しで設置される。
【００２６】
本例では、商品陳列用棚部４は、スライド棚板の固定側支持部であり、前後方向に延びる左右一対の固定側レール部４ａ、４ｂと、固定側レール部４ａ、４ｂを接続する左右方向に延びる長尺状の連結体４ｃとからなる。固定側レール部４ａ、４ｂは、Ｌ字を形成する縦部となる起立側板４１が外側に位置しており、起立側板４１の上部の一部、本例では前後方向の３か所で、外側に屈曲し係止突起５を構成している。すなわち、固定側レール部４ａ、４ｂを構成する起立側板４１が、本発明の商品陳列用棚部の両側端部となる。
【００２７】
また、固定側レール部４ａ、４ｂのＬ字を形成する横部となる底板上には、スライド側レール部９が嵌り、固定側レール部４ａ、４ｂの起立側板４１とスライド側レール部９の外側板９１が固定される。なお、スライド側レール部９は、外側板９１と内側板９２が内車輪（不図示）を介して互いに前後方向にスライド自在に接合している。
【００２８】
スライド棚板８は、裏面から下方に垂下状で前後方向に延びる両端近傍に付設される係止板８１を有する。係止板８１は、スライド側レール部９の内側板９２と接続固定される。これにより、スライド棚板８は、固定側レール部４ａ、４ｂに対して、前後方向にスライド移動自在となる。
【００２９】
本発明において、上記実施の形態例に限定されず、種々の変形を採ることができる。本発明のブラケットにおいて、スリット孔２は、３個に限定されず、１個、２個又は４個以上であってもよい。また、複数個のスリット孔２とする場合、それぞれのスリット孔の形状は同じでも、異なっていてもよい。なお、スリット孔２の形状などが異なる場合、それに応じた係止突起とすればよい。また、本発明において、商品陳列用棚部としては、スライド棚板をスライド自在に支持する固定側レール部の他、商品陳列棚、商品陳列棚を支持する支持体又は支持枠などであってもよい。本発明の商品陳列用棚部の両側端部は、両側端及び本例のように、両側端となる陳列板本体の両端より内側に位置する部材（起立側板）であってもよい。すなわち、本発明の商品陳列用棚部の両側端部は、商品陳列用棚部へのブラケットの取り付けが可能であり、その後、左右支柱に取り付けできる部材や箇所であればよい。
【産業上の利用可能性】
【００３０】
本発明は、ブラケットの構造が簡単で、取り付けが容易であり、組み付け間違いがない。また、固定側の棚部の係止突起を構成する横Ｌ字の横板部に長さがあるため、左右ブラケット間の寸法に遊びができ、一対の支柱間寸法に余裕を採れる。
【符号の説明】
【００３１】
１    ブラケット本体部
２、ａ〜２ｃ    スリット孔
３    係止部
４    商品陳列棚部
５、５ａ〜５ｃ    係止突起
６    支柱
１０  ブラケット
２０  商品陳列棚装置
５１  横板部
５２  縦板部
６１  支柱の係止孔
【図１】
2020092778.tif 000003
【図２】
2020092778.tif 000004
【図３】
2020092778.tif 000005
【図４】
2020092778.tif 000006
【図５】
2020092778.tif 000007
【図６】
2020092778.tif 000008
【図７】
2020092778.tif 000009
【図８】
2020092778.tif 000010
【図９】
2020092778.tif 000011
【図１０】
2020092778.tif 000012
【図１１】
2020092778.tif 000013